(57)【要約】【課題】ベッド上の使用者の体位を側方に変換するために操作ボタンを操作する際に、床面の変換する方向の間違いを防ぐことができる可動ベッドを提供する。【解決手段】寝返り支援ベッドは、リモコン４の操作により、被介護者Ａの上体起こし、或いは膝上げを支援するために床面が屈曲したり、さらには、被介護者Ａの仰臥位から側臥位への寝返りを支援するために床面が左右にローリングしたりする。床面を左右にローリングさせるときに操作する左・右ボタンが、互いに異なる色で構成され、また、その色を表示した標識４４Ｌ、４４Ｒ、４５Ｌ、４５Ｒがヘッドボード、フットボードの傾斜する側に設けられている。【選択図】　図１
2004097239.tif 000002
【特許請求の範囲】
【請求項１】
操作手段の操作に従って床面が両側方に傾斜する可動ベッドであって、
前記操作手段は、前記床面が傾斜する各方向を識別する識別情報を有し、
前記床面又はその周辺であって前記床面が傾斜する側に、当該傾斜の方向に対応した識別情報を表す標識が設けられていることを特徴とする可動ベッド。
【請求項２】
前記識別情報には色の情報が含まれ、前記標識は当該色を用いていることを特徴とする請求項１に記載の可動ベッド。
【請求項３】
前記識別情報には記号または文字が含まれ、前記標識は当該記号または文字を用いていることを特徴とする請求項１又は２に記載の可動ベッド。
【請求項４】
前記識別情報には、形状の情報が含まれ、前記標識は当該形状を表示していることを特徴とする請求項１〜３のいずれか１項に記載の可動ベッド。
【請求項５】
前記操作手段は、前記床面を傾斜させる方向に対応する操作部を備え、当該操作部が前記識別情報を有することを特徴とする請求項１〜４のいずれか１項に記載の可動ベッド。
【請求項６】
前記操作手段は、前記床面の傾斜を遠隔操作するリモートコントローラに設けられていることを特徴とする請求項１〜５のいずれか１項に記載の可動ベッド。
【請求項７】
前記床面の周囲には、ヘッドボード、サイドガード、フットボードの少なくとも１つが設けられ、当該部材に前記標識が設けられていることを特徴とする請求項１〜６のいずれか１項に記載の可動ベッド。
【請求項８】
前記床部の周辺には、ヘッドボード又はフットボードが設けられており、前記標識は、前記ヘッドボード又はフットボードの表裏と上端面又は側面の３面に設けられていることを特徴とする請求項１〜６のいずれか１項に記載の可動ベッド。
【発明の詳細な説明】
【０００１】
【発明の属する技術分野】本発明は、介護支援ベッドなどに用いられる可動ベッドに関し、特に、床面が両側方の２方向に傾斜する可動ベッドに関する。
【０００２】
【従来の技術】
一般に、介護支援ベッドに用いられる可動ベッドは、その使用者である被介護者の褥瘡、所謂、床ずれの発生を防止するために、被介護者の寝返りを支援する寝返り支援機構を備えている（例えば、特許文献１参照。）。
この寝返り支援機構は、例えば、ベッドの床面が左右の２方向に傾斜するようになっており、ベッド上の被介護者をその傾斜方向に寝返らせて体位変換を支援するようなものがある。
【０００３】
このような寝返り支援機構の多くは、一般的に被介護者がベッドに寝ている状態でも床面を傾斜できるようにリモートコントロール（以下、単に、「リモコン」という。）から操作できるようになっている。つまり、このリモコンには、ベッド上で仰臥位体勢の被介護者を左向き或いは右向きの側臥位体勢にするために床面を傾斜させる右ボタン及び左ボタンと、床面の傾斜動作を停止させる停止ボタンと、傾斜した床面を水平状態に戻すための戻るボタンとが設けられており、これら各種のボタンを操作することで、被介護者は自分の好みに合わせて体位体勢を変換したり、調整したりできる。
【０００４】
【特許文献１】
特開平６−１４８２４号公報
【０００５】
【発明が解決しようとする課題】
しかしながら、従来の可動ベッドでは、リモコンに設けられている右及び左ボタンが示す「右」又は「左」は相対的な方向を示しているため、操作者の位置によりその左右の方向が逆になるという問題がある。
すなわち、例えば被介護者の右側に壁があり、被介護者の体位を壁向きに変換する場合に、介護者が被介護者の正面の位置でリモコンを操作するとき、介護者にとって壁が左側にあるので、左ボタンを操作すると、床面が壁と逆向きに傾斜してしまい、被介護者を驚愕させてしまうようなことが生じ得る。
【０００６】
本発明は、上記のような問題点に鑑みてなされたものであって、ベッド上の使用者の体位を側方向きに変換するために操作ボタンを操作する際に、傾斜させる方向を間違って操作するのを防ぐことができる可動ベッドを提供することを目的とする。
【０００７】
【課題を解決するための手段】
上記目的を達成するために、本発明に係る可動ベッドは、操作手段の操作に従って床面が両側方に傾斜する可動ベッドであって、前記操作手段は、前記床面が傾斜する各方向を識別する識別情報を有し、前記床面又はその周辺であって前記床面が傾斜する側に、当該傾斜の方向に対応した識別情報を表す標識が設けられていることを特徴としている。この構成によれば、操作ボタンの操作者が、床部周辺の標識をみて、傾斜させたい方向にある標識に対応する識別情報に基づいて操作すれば良く、床面の傾斜操作の間違いを防ぐことができる。
【０００８】
ここでいう「側方」とは、床面の幅方向をいう。
【０００９】
【発明の実施の形態】
以下、本発明に係る可動ベッドを寝返り支援ベッドに適用した実施形態について、図面を参照しながら説明する。
１．寝返り支援ベッドの構造
図１は本実施の形態に係る寝返り支援ベッド１の概略を示す斜視図であり、図２は寝返り支援ベッド１の一部を切り欠いた斜視図である。
【００１０】
寝返り支援ベッド１（以下、単に、「ベッド」という。）は、両図に示すように、可動な床面１３（図２参照）を備えるベッド本体２と、床面１３上に載置されたマット３と、床面１３の動きを操作するためのリモコン４とを備えている。被介護者Ａは、リモコン４の各種操作ボタンを操作（ここでは介護者Ｂが操作している）することにより、例えば、仰臥位の体勢から上体を起こしたり（上体を起こした体勢を、以下、「上体起こし体勢」という。）、膝を上げたり（膝を上げた体勢を、以下、「膝上げ体勢」という。）、さらには、図１に示すように、仰臥位から自己の身体を、例えば左向きにした側臥位に体位変換したりする。
【００１１】
ここで、上体起こし体勢又は膝上げ体勢の少なくともいずれかを含む体勢を、「屈曲体勢」ともいい、このような体勢を採るために、ベッド本体２の床面１３が長手方向に傾斜することを、「床面１３が屈曲する」という。
一方、被介護者Ａの体勢を仰臥位から側臥位に体位変換することを、「寝返り」ともいい、このような体位変換するために、ベッド本体２の床面１３が左右方向に傾斜することを、上述の長手方向の傾斜と区別するために、「ローリング」という。
【００１２】
１）リモコンの構成について
図３は、リモコン４の構成を示す正面図である。
リモコン４には、被介護者Ａの体勢を変えたり、体位変換したりする際に、ベッド本体２の床面１３を屈曲させたり、昇降させたり、ローリングさせたりするための操作手段が設けられている。このリモコン４には、床面１３を動かすための後述のアクチュエータ等の電源をＯＮ／ＯＦＦさせる電源ボタン１０１、床面１３を昇降させてその高低を調整する高さ操作部１１０、被介護者Ａの上体を起伏させる頭操作部１２０、膝を上下させて膝を屈伸させる足操作部１３０及び被介護者Ａを左右向きに寝返らせる寝返り操作部１４０を有する。
【００１３】
高さ操作部１１０は、床面を上下に昇降させるための「上ボタン」１１１及び「下ボタン」１１２を備えている。この上・下ボタン１１１、１１２は押下式であって、各ボタン１１１、１１２を押下すると床面１３が昇降し、各ボタン１１１、１１２の押下を止めると床面１３の昇降が停止するようになっている。
頭操作部１２０は、上体を起伏させるための「起ボタン」１２１及び「伏ボタン」１２２を備えている。この起・伏ボタン１２１、１２２は、上述の上・下ボタン１１１、１１２と同様に、押下式であって、各ボタン１２１、１２２を押下すると、床面１３のうち被介護者Ａの背中に対応する部分が起伏し、各ボタン１２１、１２２の押下を止めるとその部分の起伏が停止するようになっている。
【００１４】
足操作部１３０は、膝を屈伸させるための「屈ボタン」１３１及び「伸ボタン」１３２を備えている。この屈・伸ボタン１３１、１３２は、上記ボタンと同様に、押下式であって、各ボタン１３１、１３２を押下すると、床面１３のうち被介護者Ａの膝に対応する部分が上下動し、各ボタン１３１、１３２の押下を止めるとその部分の上下動が停止するようになっている。
【００１５】
寝返り操作部１４０は、被介護者Ａが左向き或いは右向きの側臥位の体勢になるように、床面１３をローリングさせるための「右ボタン」１４１及び「左ボタン」１４２と、床面１３のローリングを停止させる「停止ボタン」１４３と、ローリングした床面１３を元の水平状態に戻す「戻るボタン」１４４とを有している。これら各ボタン１４１〜１４４は、押下式であって、一回押下するとその動作を開始するようになっている。
【００１６】
左・右ボタン１４１、１４２は、その寝返りの向きを左右の文字を使って表示すると共に、左・右ボタンの識別を容易に行えるように、各ボタン１４１、１４２の色が異なっている。なお、図３では、左・右ボタン１４１、１４２の色の違いを、「左ボタン」１４１では網掛けで、また「右ボタン」１４２では斜線で表示して、それぞれの違いを表している。
【００１７】
２）ベッド本体
ベッド本体２は、被介護者Ａの上体起こし、或いは膝上げを支援するために床面１３が屈曲したり、さらには、被介護者Ａの仰臥位から側臥位への寝返りを支援するために床面１３が左右にローリングしたりする。
ベッド本体２は、図２に示すように、可動な床面１３を構成するベッドフレーム１０と、このベッドフレーム１０を動かすための可動ステージ２０と、可動ステージ２０を支持する固定ステージ３０と、これらを囲むベッド枠４０とを備えている。
【００１８】
なお、図１に示すように、床面１３が左向きにローリングしたときに、被介護者Ａがベッド１から落下するのを防止するために、被介護者Ａの身体側面（図１では左側面）をサポートするように左側の側部が立上るようになっている。
図４は、ベッド枠４０を外したベッド本体２を示す斜視図である。
それでは、ベッドフレーム１０、可動ステージ２０及び固定ステージ３０の構成についてそれぞれ説明する。
【００１９】
２−１）ベッドフレーム
ベッドフレーム１０は、上述のように床面１３を屈曲・ローリングさせたり、ローリング時に側部を立ち上げたりするために、図２及び図４に示すように、ベッド１の横方向（図４のＹ方向で、「短手方向」ともいう。）に床部１１、右側部１２Ｒ、左側部１２Ｌの３つに分かれ、さらに、床部１１、右側部１２Ｒ、左側部１２Ｌは、ベッド１の縦方向（図３のＸ方向で、「長手方向」ともいう。）に被介護者Ａの背中、腰、腿、膝下に対応して４つに分かれている。なお、本明細書において、左右を示す方向の基準は、ベッド１上の被介護者Ａから見た方向である。
【００２０】
ベッド１の横方向の中央に位置する床部１１において、図４に示すように、被介護者Ａの背中に対応する部分を背中床部１１ａといい、以下同様に腰、腿、膝下のそれぞれに対応する部分を腰床部１１ｂ、腿床部１１ｃ、膝下床部１１ｄという。右側部１２Ｒにおいても、床部１１と同様に、背中、腰、腿、膝下のそれぞれに対応する部分を背中右側部１２Ｒａ、腰右側部１２Ｒｂ、腿右側部１２Ｒｃ、膝下右側部１２Ｒｄといい、さらに、左側部１２Ｌにおいても、右側部１２Ｒと同様、背中、腰、腿、膝下のそれぞれに対応する部分を背中左側部１２Ｌａ、腰左側部１２Ｌｂ、腿左側部１２Ｌｃ、膝下左側部１２Ｌｄという。
【００２１】
なお、以下、単に、「床部１１」とするときは、上記の背中床部１１ａ、腰床部１１ｂ、腿床部１１ｃ、膝下床部１１ｄの４つを含んだ全体を意味し、また、単に、「右側部１２Ｒ」とするときは、上記の背中右側部１２Ｒａ、腰右側部１２Ｒｂ、腿右側部１２Ｒｃ、膝下右側部１２Ｒｄの４つを含んだ全体を意味し、さらに、単に、「左・右側部１２Ｌ、１２Ｒ」とするときは、背中左側部１２Ｌａ、腰左側部１２Ｌｂ、腿左側部１２Ｌｃ、膝下左側部１２Ｌｄ、背中右側部１２Ｒａ、腰右側部１２Ｒｂ、腿右側部１２Ｒｃ及び膝下右側部１２Ｒｄの８つを含んだ全体を意味するものとする。
【００２２】
ベッドフレーム１０の表面（床面１３）は、図２に示すようにワイヤーメッシュが張られているが、図４では、他の部材、部位等の構成が分かるようにワイヤーメッシュの図示を省略している。
図５は、図４におけるＡ−Ａ線におけるベッドフレーム１０及び可動ステージ２０の縦断面図で、（ａ）はベッドフレーム１０が水平状態にある場合を示し、（ｂ）はベッドフレーム１０が屈曲状態にある場合を示す。
【００２３】
各床部１１ａ〜１１ｄは、図５の（ａ）に示すように、可動ステージ２０に、間隔を置いた状態で、例えば、スペーサー２５を介して支持されている。腰床部１１ｂは、可動ステージ２０に固定されたスペーサー２６に溶接等により固着されている。これにより、ベッドフレーム１０が可動ステージ２０に固定される。各床部１１ａ〜１１ｄは、ベッド１の縦方向に隣り合う他の床部に、ヒンジ１４を介して回動自在に連結されている。このヒンジ１４は、その軸芯が横方向（紙面に対して直交する方向）に配されているため、図５の（ｂ）に示すように、背中床部１１ａが腰床部１１ｂに対して屈曲し、また、腿床部１１ｃが腰床部１１ｂに対して屈曲すると共に、この腿床部１１ｃに連動して膝下床部１１ｄも屈曲するようになっている。
【００２４】
なお、背中床部１１ａ、腿床部１１ｃ（膝下床部１１ｄ）の屈曲は、直動式のアクチュエータＭ１、Ｍ２によりなされ、このアクチュエータＭ１、Ｍ２は、リモコン４の頭操作部１２０、足操作部１３０のボタン操作に従って作動する。また、アクチュエータＭ１、Ｍ２を、後述する他のアクチュエータと区別するために、被介護者Ａの頭部側のアクチュエータＭ１を頭部側アクチュエータＭ１と、また足部側のアクチュエータＭ２を足部側アクチュエータＭ２という。
【００２５】
図６は、図４におけるＢ−Ｂ線におけるベッドフレーム１０及び可動ステージ２０の横断面図で、（ａ）はベッドフレーム１０が水平状態にある場合を示し、（ｂ）は左側部１２Ｌが立上っている状態を示す。
各床部１１ａ〜１１ｄは、図４及び図６に示すように、その左右両側の左右側部１２Ｒａ〜１２Ｒｄ、１２Ｌａ〜１２Ｌｄともヒンジ１５を介して回動自在に連結されている。このヒンジ１５は、その軸芯が縦方向に配されているため、各側部１２Ｒ、１２Ｌが、床部１１に対して立ち上がるようになっている。なお、各側部１２Ｒ、１２Ｌの立ち上がりは、図６の（ｂ）に示すように、アクチュエータＭ３Ｒ、Ｍ３Ｌにより立ち上がる左右の支持フレーム２４Ｒ、２４Ｌによりなされ、そのアクチュエータＭ３Ｒ、Ｍ３Ｌは、リモコン４の寝返り操作部１４０のボタン操作に従って作動する。
【００２６】
２−２）可動ステージ
図７は、図４においてベッドフレーム１０を取り除いた状態におけるベッド本体２の平面図であり、図８は、図４においてベッドフレーム１０を取り除いた状態におけるベッド本体２の斜視図である。
可動ステージ２０は、図４、図６〜図８に示すように、ベッド１の長手方向に長い矩形状のステージ枠２１と、ベッドフレーム１０の左・右側部１２Ｌ、１２Ｒを支持して立ち上げさせる左右の支持フレーム２４Ｒ、２４Ｌとを備える。なお、図８では、左側の支持フレーム２４Ｌの図示を省略している。
【００２７】
ステージ枠２１は、図７にも示すように、長手方向に平行に配された一対の縦部材２１Ｒ、２１Ｌと、一対の縦部材２１Ｒ、２１Ｌの両端同士を短手方向に連結する一対の横部材２１Ｆ、２１Ｂとを備え、縦部材２１Ｒ、２１Ｌ間の略中央で一対の横部材２１Ｆ、２１Ｂを連結する縦補強部材２１Ａと、足部側で２本の縦部材２１Ｒ、２１Ｌと縦補強部材２１Ａとを短手方向にそれぞれ連結する横補強部材２１Ｃ、２１Ｃとにより補強されている。
【００２８】
縦補強部材２１Ａの頭部側には、図５にも示すように、そのロッドの先端が背中床部１１ａに連結された頭部側アクチュエータＭ１が取り付けられており、このロッドの伸縮により、図５の（ｂ）のように、被介護者Ａの上体起こしを支援すべく背中床部１１ａが起伏（屈曲）する。
また、縦補強部材２１Ａの足部側には、図５に示すように、そのロッドの先端が腿床部１１ｃに連結された足部側アクチュエータＭ２が取り付けられており、このロッドの伸縮により、図５の（ｂ）のように、被介護者Ａの膝上げを支援すべく腿床部１１ｃが起伏（屈曲）する。
【００２９】
支持フレーム２４Ｒ、２４Ｌは、図４、図６〜図８に示すように、ステージ枠２１の左右の縦部材２１Ｒ、２１Ｌに連結部材２３６Ｒａ、２３６Ｒｂ、２３６Ｌａ、２３６Ｌｂを介して取り付けられている。
支持フレーム２４Ｒ、２４Ｌは、その位置が左右と異なるだけであるため、ここでは、右側の支持フレーム２４Ｒについて説明する。なお、左側の支持フレーム２４Ｌを構成する各部材の符号は、以下で説明する右側の支持フレーム２４Ｒで使用する符号の語尾の「Ｒ」を「Ｌ」に変えたものとなる。
【００３０】
支持フレーム２４Ｒは、縦方向に配された一対の縦棒２２Ｒ、２３Ｒと、この一対の縦棒２２Ｒ、２３Ｒを横方向に連結する２本の横棒２３１Ｒ、２３２Ｒとから梯子状に構成される。
そして、内側の縦棒２２Ｒ、２２Ｌが、ステージ枠２１の縦部材２１Ｒ、２１Ｌに固定された連結部材２３６Ｒａ、２３６Ｒｂ、２３６Ｌａ、２３６Ｌｂに回動自在に軸支されることにより、支持フレーム２４Ｒ、２４Ｌが、内側の縦棒２２Ｒ、２２Ｌを軸中心として回動可能となる。
【００３１】
内側の縦棒２２Ｒ、２２Ｌには、図６に示すように、下方に延びる延伸部２３５Ｒ、２３５Ｌが固定されており、この延伸部２３５Ｒ、２３５Ｌに横方向に伸縮する左・右アクチュエータＭ３Ｒ、Ｍ３Ｌのロッドが固定されている。左・右アクチュエータＭ３Ｒ、Ｍ３Ｌのロッドが伸びると、各支持フレーム２４Ｒ、２４Ｌが内側の縦部材２２Ｒ、２２Ｌを軸中心として回動することで立ち上がり、左・右側部１２Ｒ、１２Ｌを下側から支持して立ち上がらせる。なお、この左・右アクチュエータＭ３Ｒ、Ｍ３Ｌは、図６にも示すように、例えば、縦補強部材２１Ａと横補強部材２１Ｃとに取り付けられ、リモコン４の寝返り操作部１４０の操作により作動するようになっている。
【００３２】
２−３）固定ステージ
固定ステージ３０は、図４及び図８に示すように、可動ステージ２０を支持する支持台３１と、この可動ステージ２０を昇降させたり、左右に傾けたりするための左右一対の昇降部３５Ｒ、３５Ｌとからなる。
支持台３１は、縦方向の両側に配された一対の立設枠３２Ｂ、３２Ｆと、これら立設枠３２Ｂ、３２Ｆを長手方向に連結する一対の連結部材３３Ｒ、３３Ｌとから構成される。昇降部３５Ｒ、３５Ｌは、支持台３１の左右両側であって立設枠３２Ｂ、３２Ｆ間に設けられており、可動ステージ２０を昇降させるときは左右の両昇降部３５Ｒ、３５Ｌが作動し、可動ステージ２０を左右の一方にローリングさせるときは一方の昇降部３５Ｒ、３５Ｌが作動するようになっている。
【００３３】
なお、可動ステージ２０が左右方向にローリングする際に、一方の昇降部３５Ｒ、３５Ｌが可動ステージ２０の一方の側部を上昇させるため、可動ステージ２０の他方の側部が一方側に近づくように移動しようとする。このため、立設枠３１の上面３００を左右方向に転動するローラ２００を可動ステージ２０の下面に取着している。
【００３４】
図９は、可動ステージ２０を昇状態した固定ステージ３０の斜視図である。
次に、昇降部３５Ｒ、３５Ｌについて説明する。ここで、昇降部３５Ｒ、３５Ｌは、その位置が左右と異なるだけであるため、左側の昇降部３５Ｌについて説明する。なお、右側の昇降部３５Ｒを構成する各部材の符号は、以下で説明する右側の昇降部３５Ｌで使用する符号の語尾の「Ｌ」を「Ｒ」に変えたものとなる。
【００３５】
昇降部３５Ｌは、図８及び図９に示すように、可動ステージ２０の縦部材２１Ｌに取り付けられたステージバー２７Ｌを下からバー受け３６Ｌが受け、この状態でバー受け３６Ｌが上昇することで可動ステージ２０が上昇する（図９）。
可動ステージ２０のローリング時にステージバー２７Ｒ、２７Ｌがバー受け３６Ｒ、３６Ｌ内でスムーズに回転するように、例えば、ステージバー２７Ｒ、２７Ｌの横断面が円形状の棒を用い、これに対応して、バー受け３６Ｌの横断面形状がＵ字状になっている。
【００３６】
次に、バー受け３６Ｌには、図９に示すように、その縦方向の両端に起伏自在な一対の支持腕３５４Ｌ、３５６Ｌが連結されており、この支持腕３５４Ｌ、３５６Ｌが起伏することでバー受け３６Ｌが昇降する。なお、支持腕３５４Ｌ、３５６Ｌの下端は、それが起伏する際に、縦方向のガイド部材３２Ｌ内を移動するように構成されており、これによりバー受け３６Ｌが鉛直（上下）方向に昇降可能となる。
【００３７】
各支持腕３５４Ｌ、３５６Ｌは、一端がガイド部材３２Ｌに回動自在に連結されたＬ字部材３５１Ｌ、３５２Ｌの屈曲している部分に回動自在に連結されている。一対の支持腕３５４Ｌ、３５６Ｌのそれぞれに連結された両Ｌ字部材３５１Ｌ、３５２Ｌの他端同士は、水平方向のリンク部材３５３Ｌに連結されており、このリンク部材３５３Ｌとバー受け３６Ｌとの間に、アクチュエータＭ４Ｌが斜交い方向に取着されている。このアクチュエータＭ４Ｌのロッドが伸縮することで、Ｌ字部材３５１Ｌ、３５２Ｌが、そのガイド部材３２Ｌとの連結部を中心として回動し、これに連結された支持腕３５４Ｌ、３５６Ｌが起伏する。
【００３８】
なお、アクチュエータＭ４Ｌのロッドの伸縮は、リモコン４の高さ操作部１１０及び寝返り操作部１４０の操作により行わされる。また、可動ステージ２０を左右にローリングさせる場合には、両昇降部３５Ｒ、３５Ｌの内の一方が上昇することで実施される。
２−４）ベッド枠
このベッド枠４０は、被介護者Ａの頭部側に配されたヘッドボード４１と、足部側に配されたフットボード４２と、ヘッドボード４１とフットボード４２とをマット３の側面の下側で連結する左右一対のサイドボード４３とから構成される。なお、ヘッドボード４１、フットボード４２、サイドボード４３Ｒ、４３Ｌは、ベッド１の設置面（床）と上昇したベッドフレーム１０との間等に人が挟まれるのを防止する共に、ベッド１の意匠性を高めている。
【００３９】
ヘッドボード４１及びフットボード４２には、図１及び図２に示すように、リモコン４における寝返り操作部１４０の右・左ボタン１４１、１４２の情報を示す標識４４Ｒ、４４Ｌ、４５Ｒ、４５Ｌが設けられている。つまり、リモコン４の右ボタン１４２の色（図では斜線で表示）を表す右標識４４Ｒ、４５Ｒがベッドボード４１及びフットボード４２の右端又は右寄りに、また左ボタン１４１の色（図では網掛けで表示）を表す左標識４４Ｌ、４５Ｌがベッドボード４１及びフットボード４２の左端又は左寄りにそれぞれ取り付けられている。
【００４０】
ヘッドボード４１の各標識４４Ｒ、４４Ｌは、例えば、図１に示すように、被介護者Ａ或いはヘッド本体２の周辺にいる介護者Ｂからでも見えるように、ヘッドボード４１の側端面、その表面及び裏面の３面に跨るように、平面視「Ｕ」字状に設けられている。
２．寝返り支援ベッドの動作
１）昇降動作について
リモコン４の高さ操作部１１０における「上ボタン」１１１の押下操作があると、図９に示すように、昇降部３５Ｒ、３５Ｌの両アクチュエータＭ４Ｒ、Ｍ４Ｌのロッドが伸び、支持腕３５４Ｒ、３５４Ｌ、３５６Ｒ、３５６Ｌが立ち上がる。これによりバー受け３６Ｒ、３６Ｌが可動ステージ２０のステージバー２７Ｒ、２７Ｌを下から受け、この状態でバー受け３６Ｒ、３６Ｌがさらに上昇する。これにより可動ステージ２０（ベッド１の床面１３）が上昇する。
【００４１】
一方、床面１３が上昇した状態で、リモコン４の高さ操作部１１０における「下ボタン」１１２の押下操作があると、昇降部３５Ｒ、３５ＬのアクチュエータＭ４Ｒ、Ｍ４Ｌのロッドが縮み、床面１３が下降し始める。なお、上・下ボタン１１１、１１２の押下操作を止めると、アクチュエータＭ４Ｒ、Ｍ４Ｌのロッドの伸縮が停止し、床面１３の上昇又は下降が停止する。
【００４２】
２）上体起こし動作について
リモコン４の頭操作部１２０における「起ボタン」１２１の押下操作があると、図５の（ｂ）に示すように、頭部側アクチュエータＭ１のロッドが伸び、このロッドの伸びに従って背中床部１１ａが起き始める。このとき、背中床部１１ａの両側の背中左右側部１２Ｒａ、１２Ｌａは、背中床部１１ａにヒンジ１５を介して連結されているので、背中床部１１ａと共に起きる。
【００４３】
一方、背中床部１１ａ及び背中左右側部１２Ｒａ、１２Ｌａが起きた状態で、リモコン４の頭操作部１２０における「伏ボタン」１２２の押下操作があると、頭部側アクチュエータＭ１のロッドが縮み、背中床部１１ａ及び背中左右側部１２Ｒａ、１２Ｌａが平坦な状態に戻り始める。なお、起・伏ボタン１２１、１２２の押下操作を止めると、背中床部１１ａ及び背中左右側部１２Ｒａ、１２Ｌａの起伏が停止する。
【００４４】
３）膝上げ動作
リモコン４の足操作部１３０における「屈ボタン」１３１の押下操作があると、図５の（ｂ）に示すように、足部側アクチュエータＭ２のロッドが伸び、腿床部１１ｃ及び腿左右側部１２Ｒｃ、１２Ｌｃがロッドの伸びに従って起き始め、これに連動して膝下床部１１ｃ及び膝下左右側部１２Ｒｃ、１２Ｌｃが起きる。
【００４５】
一方、腿床部１１ｃ、腿左右側部１２Ｒｃ、１２Ｌｃ、膝下床部１１ｄ及び膝下左右側部１２Ｒｄ、１２Ｌｄが起きた状態で、リモコン４の足操作部１３０における「伸ボタン」１３２の押下操作があると、これらは平坦な状態に戻り始める。なお、屈・伸ボタン１３１、１３２の押下操作を止めると、腿床部１１ｃ、腿左右側部１２Ｒｃ、１２Ｌｃ、膝下床部１１ｄ及び膝下左右側部１２Ｒｄ、１２Ｌｄの起伏が停止する。
【００４６】
４）寝返り動作
ここでは、図１に示すように、仰臥位の被介護者Ａを左向きに寝返りさせる場合を例として、以下説明する。
リモコン４の寝返り操作部１４０における「左ボタン」１４２の押下操作があると、まず、図６に示すように、左アクチュエータＭ３Ｌのロッドが伸長し、支持フレーム２４Ｌが内側の縦棒２２Ｌを軸中心として立ち上がり、やがて、図６の（ｂ）状態を経て、左側部１２Ｌが略９０°の角度に立上る。このように側部１２Ｌを立ち上げる理由は、床面１３が左向きにローリングしたときに、被介護者Ａの左側面を支持して、被介護者Ａがベッド１上から落ちないようにするためである。
【００４７】
続いて、頭部側アクチュエータＭ１及び足部側アクチュエータＭ２のロッドが伸長し、上述の上体起こし動作及び膝上げ動作が行われる。このように、寝返り支援時に上体起こし及び膝上げが行われるのは、側臥位となる被介護者Ａの最も安定な体勢は、膝を曲げて、腰を屈めた屈曲姿勢であり、この屈曲姿勢を採るためである。
【００４８】
そして、以上の動作により、左側部１２Ｌの立ち上げ状態、床部１１と右側部１２Ｒの屈曲状態が整うと、固定ステージ３０の右側の昇降部３５Ｒのアクチュエータのロッドが伸長し、バー受け３６Ｒがステージバー２７Ｒを受けた状態でさらに上昇する。これにより可動ステージ２０が左向きにローリング（右上がりに傾斜）して、ベッド１上の被介護者Ａが左向きの側臥位の姿勢を採るようになる。
【００４９】
このようにリモコン４の寝返り操作部１４に寝返りの向きを変換させるための操作部（左・右ボタン１４１、１４２）にその向きを示す情報があり、この情報を示す標識４４Ｒ、４５Ｒ、４４Ｌ、４５Ｌが、ベッド本体２のヘッドボード４１とフットボード４２とに設けられているので、リモコン４の操作者は、寝返りの向きにある標識４４Ｒ、４５Ｒ、４４Ｌ、４５Ｌに対応する左・右ボタン１４１、１４２を操作すれば、希望の向きに確実にローリングできる。
【００５０】
このため、図１に示すように、ベッド１の周辺で被介護者Ａの正面にいる介護者Ｂがリモコン４を操作する場合であっても、ヘッドボード４１、フットボード４２上にある標識４４Ｌ、４５Ｌを参考にしてリモコン４の操作を行うことができるので、被介護者Ａと介護者Ｂとの左右の方向の相違から生じるローリングさせる方向の操作ミスが無くなる。
【００５１】
なお、左向きの側臥位の体勢から仰臥位の体勢に戻る場合は、リモコン４の寝返り操作部１４０における「戻るボタン」１４４を押下すれば良いし、体位変換中に、その変換を中断する場合は、リモコン４の寝返り操作部１４０における「停止ボタン」１４３を押下すれば良い。
また、寝返り動作は、上記で説明したように、床面１３の側部立ち上げ、屈曲動作、ローリングの順となっているが、この順序に限定するものではなく、例えば、屈曲動作、側部立ち上げ、ローリングの順でも良く、或いは屈曲動作と側部立ち上げを同時に行い、次にローリングするようにしても良い。
【００５２】
（変形例）
以上、本発明を実施の形態に基づいて説明したが、本発明の内容が、上記実施の形態に示された具体例に限定されないことは勿論であり、例えば、以下のような変形例を実施することができる。
（１）操作手段について
上記の実施の形態における寝返り操作部１４０は、寝返りの向き、つまり左右を示す左・右ボタン１４１、１４２を備えている。しかしながら、本発明における操作手段は、上記の実施の形態で説明した、左・右ボタン１４１、１４２のような操作ボタンを２個備えるものに限定するものではなく、例えば、１つの操作ボタンで左右の寝返りを操作できるようなものでも良い。このような操作ボタンが１つのものとして、例えば、スライド式、回転（ダイヤル）式等のものがある。以下、スライド式の操作部を用いた操作手段について説明する。
【００５３】
図１０は、寝返りの向きを操作する操作ボタンが１個のタイプのリモコンを示す図である。リモコン２０４における寝返り操作部２４０は、同図に示すように、左右にスライドするスライド部２４５と、スライド部２４５がスライドする左右両側に、寝返り方向を示す左標識２４１及び右標識２４２と、上記の実施の形態でも説明した戻るボタン２４４と、停止ボタン２４３とを有している。
【００５４】
このスライド部２４５をその両側の標識２４１、２４２の方に、例えば、右標識２４２側にスライドさせると、ベッド１の床面１３が右向きにローリングし、逆に、スライド部２４５を左標識２４１側にスライドさせると、ベッド１の床面１３が左向きにローリングするようになっている。
このような寝返りの向きを操作する操作ボタンが１つの操作手段であっても、そのスライドさせる方向を識別できる識別情報（左右標識２４１、２４２）を有し、その情報をベッド周面に表示しておけば、上記の実施の形態と同様の効果を得ることができる。
【００５５】
（２）識別情報について
上記の実施の形態では、操作手段の操作部、つまり、左・右ボタン１４１、１４２は、左右の方向を示す「左」、「右」を示していると共に、これらをさらに識別できるように互いの色が異なっている。しかしながら、本発明では、寝返りの向き（傾斜方向）を識別する識別情報として、上記実施の形態で説明した、左右の文字と色とを組み合わせたものに限定されるものではない。なお、以下で説明する形状、文字、記号、及び上記の色を組み合わせて識別情報としても良いし、それを単独で用いて識別情報としても良い。
【００５６】
ア）形状について
実施の形態で説明した識別情報以外として、形状により寝返りの向きを識別する場合について説明する。
図１１は、寝返りの向きを操作する操作ボタンの形状を互いに異なるようにしたリモコンを示す図である。
【００５７】
リモコン３０４における寝返り操作部３４０は、同図に示すように、床面１３をローリングさせるために操作する「左ボタン」３４１及び「右ボタン」３４２と、上記の実施の形態でも説明した「戻るボタン」３４４と「停止ボタン」３４３とを有している。
左・右ボタン３４１、３４２は、ローリングの方向を示す識別情報、つまり「左」、「右」を有すると共に、互いにその形状が異なっている。図１１の左・右ボタン３４１、３４２は、一例を示しているが、左ボタン３４１は丸形状をし、右ボタンは四角形状をしている。
【００５８】
図１２は、ヘッドボード４１の左標識３４４Ｌを示す斜視図である。左標識３４４Ｌは、同図に示すように、左ボタン３４１の形状を示している。このように、リモコン３０４における寝返り操作部３４０の左・右ボタン３４１、３４２の形状に対応した標識３４４Ｌをベッド本体２に設けているので、上記の実施の形態と同様に、寝返り方向が逆になるような操作ミスを防ぐことができる。
【００５９】
イ）文字・記号について
実施の形態では、方向を示す文字として「左」、「右」を使用したが、例えば、「左」・「右」（図１３の（ａ）の３４４Ｌ）、「ひだり」・「みぎ」、「ＬＥＦＴ」・「ＲＩＧＨＴ」、「Ｌ」・「Ｒ」でも良い。さらに、標識は、傾斜方向を示す文字と、操作部の色又は形状との組み合わせてでも良い（図１３の（ｂ）の４４４Ｌ）。
【００６０】
さらに、識別情報として、例えば記号を用いても良い。つまり、一方の側方を「Ａ」で、他方を「Ｂ」で表し、この記号を標識として表示するようにしても良い。
（３）標識について
ア）表示場所について
上記の実施の形態では、標識４４Ｌ、４４Ｒ、４５Ｌ、４５Ｒは、ヘッドボード４１及びフットボード４２に設けている。しかしながら、ベッド上１の被介護者Ａ又はベッド１の周辺にいる介護者Ｂが、操作手段を操作して床面を側方にローリングさせるときに、その標識が見えれば良く、実施の形態で示した部材、位置に限定するものではなく、他の部材、位置に標識を設けても良い。
【００６１】
このような例について以下説明する。
図１４は、標識を他の場所に設けたベッド１を示す全体の斜視図である。
ベッド１は、同図に示すように、サイドボード４３Ｒ、４３Ｌに、逆Ｕ字状のサイドガード４６Ｌ、４６Ｒを備えている。なお、この床面の動きを操作するリモコンは、上記実施の形態で説明したものと同様である。
【００６２】
サイドガード４６Ｌ、４６Ｒには、標識４７Ｌ、４７Ｒが設けられている。この標識４７Ｌ、４７Ｒは、他の標識４４Ｌ、４４Ｒ、４５Ｌ、４５Ｒと同様に、リモコン４の寝返り操作部１４０の左・右ボタン１４１、１４２の色をそれぞれ表示している。
なお、図１４で示しているフットボード４２は、上記の実施の形態におけるフットボード４２と異なって、その上端がマット３よりも高くなっている。そこで、フットボード４２の標識４５Ｌ、４５Ｒは、フットボード４２の上面と、その表裏両面との３面に跨って、側面視逆Ｕ字状に設けられている。
【００６３】
このように標識を３面に設けると、ベッド１上の被介護者Ａ、及びベッド１の周辺にいる介護者Ｂの人からも見えることになる。従って、ヘッドボード４１の標識４４Ｌ、４４Ｒは、側面に跨るように設けているが、その位置をフットボード４２の標識４５Ｌ、４５Ｒのように、ヘッドボード４１の上面に跨るように３面に設けても良い。
【００６４】
また、上記の例では、ヘッドボード４１、フットボード４２及びサイドガード４７に標識を設け、上記の実施の形態では、ヘッドボード４１及びフットボード４２に標識を設けているが、これら全てに標識を設ける必要はなく、例えば、これらのボード４１、４２或いはサイドガード４７のいずれか１部材に標識を設けても良い。
【００６５】
イ）表示方法について
上記の実施の形態及び上記の変形例では、標識は、ヘッドボード４１及びフットボード４２の上面又は側面に跨って３面に連続して表示しているが、例えば、図１５の（ａ）のヘッドボード４１の標識１４４Ｌａ、１４４Ｌｂ、１４４Ｌｃのように、３面に独立して設けても良い。
【００６６】
また、図１１に示すような、操作部（左右ボタン３４１、３４２）の形状が異なる場合には、図１５の（ｂ）のヘッドボード４１の標識２４４Ｌａ、２４４Ｌｂように、その形状で表示するようにしても良い。
（４）可動ベッドについて
上記の実施の形態では、可動ベッドを適用させた寝返り支援ベッドとして、被介護者の上体起こし体勢及び膝上げ体勢も支援できるように、床面がベッド長手方向に屈曲（傾斜）するようになっている。つまり、床部を屈曲させて、上体起こし、膝上げの少なくともいずれかを含む屈曲体勢を形成する屈曲機構や、床部の側部材を中央部の床部に対して起こす側部起こし機構等を有している。
【００６７】
しかしながら、本発明は、床面が側方にローリング（傾斜）のみ可能な可動ベッドにも、当然適用することができる。つまり、少なくとも、床面が側方に傾斜する機能を有する可動ベッドであれば良い。
また、上記の実施の形態において、ベッド本体２は、床面がローリングする際に、その左右側部が立ち上がり、且つ被介護者が屈曲体勢を取るように床面が屈曲している。しかしながら、本発明は、操作手段の操作により床面が、単に側方に傾斜するような可動ベッドにも、当然適用することできる。
【００６８】
（５）操作手段
上記の実施の形態及び上記の変形例では、操作手段が無線式のリモコンに設けられている場合について説明したが、操作手段が有線式のリモコンに設けられていても良い。
さらに、操作手段はベッド本体に設けられていても良い。このようなものとしては、例えば、ヘッドボード又はフットボートを箱状に構成し、その上面に操作手段を固定的に設けても良い。この場合は、その操作者はベッド上の使用者以外、例えば介護者となることが多く、介護者と被介護者との間で左右の方向が逆転する。従って、被介護者が希望する寝返りの向きと、介護者の操作によりローリングする向きとが反対となることが生じやすくなるが、本発明を適用することにより、これらの操作ミスを効果的に防ぐことができる。
【００６９】
【発明の効果】
以上のように、本発明に係る可動ベッドは、操作手段の操作に従って床面が両側方に傾斜する可動ベッドであって、前記操作手段は、前記床面が傾斜する各方向を識別する識別情報を有し、前記床面又はその周辺であって前記床面が傾斜する側に、当該傾斜の方向に対応した識別情報を表す標識が設けられている。
【００７０】
このため、操作ボタンの操作者が、床部周辺の標識を見れば、操作部の操作により傾斜する向きが分かる。従って、ベッド上の使用者の体位を側方向きに変換するために操作ボタンを操作する際に、操作間違いを防ぐことができる。
【図面の簡単な説明】
【図１】本実施の形態における寝返り支援ベッドの全体の概略を示す斜視図である。
【図２】本実施の形態における寝返り支援ベッドの一部を切り欠いた斜視図である。
【図３】本実施の形態におけるリモコンの構成を示す正面図である。
【図４】本実施の形態におけるベッド枠を外したベッド本体を示す斜視図である。
【図５】図４におけるＡ−Ａ線におけるベッドフレーム及び可動ステージの縦断面図で、（ａ）はベッドフレームが水平状態にある場合を示し、（ｂ）はベッドフレームが屈曲状態にある場合を示す。
【図６】図４におけるＢ−Ｂ線におけるベッドフレーム及び可動ステージの横断面図で、（ａ）はベッドフレームが水平状態にある場合を示し、（ｂ）は左側部が立上った状態を示す。
【図７】図６においてベッドフレームを取り除いた状態におけるベッド本体の平面図である。
【図８】図６においてベッドフレームを取り除いた状態におけるベッド本体の斜視図である。
【図９】本実施の形態における可動ステージを昇状態した固定ステージの斜視図である。
【図１０】寝返りの向きを操作する操作ボタンが１個のリモコンを示す図である。
【図１１】寝返りの向きを操作する操作ボタンの形状を互いに異なるようにしたリモコンを示す図である。
【図１２】ヘッドボードの左側の標識を示す斜視図である。
【図１３】標識が傾斜方向を示す文字を用いて表示している例を示す図である。
【図１４】標識を他の場所に設けた例を示すベッド本体の全体の斜視図である。
【図１５】標識をヘッドボードの３面に独立して設けた例を示す図である。
【符号の説明】
Ａ　　被介護者
１　　寝返り支援ベッド
２　　ベッド本体
３　　マット
４　　リモコン
４１　　ヘッドボード
４２　　フットボード
４４Ｌ、４４Ｒ　標識
４５Ｌ、４５Ｒ　標識
４６　　サイドガード
４７Ｌ、４７Ｒ　標識
１４０　　寝返り操作部
１４１、３４１　　左ボタン
１４２、３４２　　右ボタン
２４５　　操作ボタン
【図１】
2004097239.tif 000003
【図２】
2004097239.tif 000004
【図３】
2004097239.tif 000005
【図４】
2004097239.tif 000006
【図５】
2004097239.tif 000007
【図６】
2004097239.tif 000008
【図７】
2004097239.tif 000009
【図８】
2004097239.tif 000010
【図９】
2004097239.tif 000011
【図１０】
2004097239.tif 000012
【図１１】
2004097239.tif 000013
【図１２】
2004097239.tif 000014
【図１３】
2004097239.tif 000015
【図１４】
2004097239.tif 000016
【図１５】
2004097239.tif 000017